(57)【要約】【課題】電圧印加によらずに光の照射方向に対して良好に配向した状態で配向膜表面に重合される光重合性モノマーを用いることにより、光スイッチングの応答速度の向上と安定化を図ることが可能な液晶表示装置の製造方法および液晶表示装置を提供する。【解決手段】駆動基板１０上の画素電極１１を垂直配向膜１３で覆い、対向基板２０上の共通電極２１を垂直配向膜２３で覆い、これらの垂直配向膜１３−２３間に光重合性モノマーＭを含有させた液晶層３０を充填封止する。対向基板２０面の法線に対して斜め方向から紫外線ｈを照射することによって、光重合性モノマーＭを紫外線ｈの照射方向に対して配向させた状態で垂直配向膜１３，２３表面に対して重合させる。この際、光重合性モノマーとして二色性を示す化合物を用いることを特徴としている。【選択図】図１
2009048062.tif 000002
【特許請求の範囲】
【請求項１】
電極上を配向膜で覆ってなる一対の基板における当該配向膜間に、光重合性モノマーを含有させた液晶層を充填封止する工程と、前記基板面の法線に対して斜め方向から光を照射することによって当該光の照射方向に対して配向させた前記光重合性モノマーを前記配向膜表面に対して重合させる工程とを行う液晶表示装置の製造方法において、
前記光重合性モノマーとして二色性を示す化合物を用いる
ことを特徴とする液晶表示装置の製造方法。
【請求項２】
請求項1記載の液晶表示装置の製造方法において、
前記光重合性モノマーは、アゾベンゼン誘導体、ペリレン誘導体、およびキノフタロン誘導体から選ばれる
ことを特徴とする液晶表示装置の製造方法。
【請求項３】
請求項1記載の液晶表示装置の製造方法において、
前記光重合性モノマーを前記配向膜表面に対して重合させる工程では、前記光を照射する部分毎に異なる方向から当該光を照射する
ことを特徴とする液晶表示装置の製造方法。
【請求項４】
電極上を配向膜で覆ってなる一対の基板と、
前記一対の基板における前記配向膜間に充填封止された液晶層と、
前記基板面の法線に対して斜め方向に配向した状態で前記配向膜における前記液晶層側の表面に重合された光重合性モノマーとを備えた液晶表示装置において、
前記光重合性モノマーは、二色性を有する化合物からなる
ことを特徴とする液晶表示装置。
【請求項５】
請求項４記載の液晶表示装置において、
前記光重合性モノマーは、アゾベンゼン誘導体、ペリレン誘導体、およびキノフタロン誘導体から選ばれる
ことを特徴とする液晶表示装置。
【請求項６】
請求項４記載の液晶表示装置において、
前記光重合性モノマーは、前記配向膜の表面部分毎に異なる方向に配向している
ことを特徴とする液晶表示装置。
【発明の詳細な説明】
【技術分野】
【０００１】
本発明は、液晶表示装置の製造方法および液晶表示装置に関し、特には液晶分子の配向を制御するためのモノマーを配向膜表面に重合させた液晶表示装置の製造方法およびこの方法いよって得られる液晶表示装置に関する。
【背景技術】
【０００２】
液晶表示装置においては、視野角特性の向上を目的とした様々な表示モードが開発されている。なかでも、液晶分子を複数方向に分割配向させるマルチドメインバーチカルアラインモード（Multi Vertically Aligned：ＭＶＡモード）は、視野角特性に優れた表示モードとして注目されている。
【０００３】
ＭＶＡモードの液晶表示装置において液晶分子を分割配向させる技術の一つとして、重合可能なモノマーを液晶層に導入しておき、斜め方向からの光照射によってモノマーを配向させた状態で垂直配向膜に対して重合させる方法が開示されている。この場合、複数の露光マスクを用いて異なる斜め方向から光照射を行うか、また同様に光照射した後に、電圧を印加した状態でさらに斜め方向から光照射を行う。これにより、垂直配向膜の各部分に重合するモノマーの配向方向が制御される（下記特許文献１参照）。
【０００４】
このような構成によれば、液晶分子を分割配向させるためのスリットを電極に設けたり突起物を設ける必要がないため、画素開口率の向上が図られると共に、電圧無印加時における液晶分子の配向不良による光抜けを防止することができる。
【０００５】
【特許文献１】特開２００４−３０２２６０号公報（段落００５６〜００５９）
【発明の開示】
【発明が解決しようとする課題】
【０００６】
しかしながら、重合可能なモノマーとして例示されているジアクリレートモノマーでは、例えば代表的なビフェニル系ジアクリレートモノマーを用いた場合、照射方向に対する配向性が弱い。このため、特許文献1にも記載されているように、基板面の法線に対して３５°の角度からの光照射によってモノマーを重合させたとしても、液晶分子のプレチルト角は８９°程度にしかならず、鹿も不安定である。このため、電圧を印加した場合に液晶分子が倒れる方向が定まり難く、充分な応答速度を得ることができなかった。
【０００７】
そして、さらに安定したプレチルト角とするためには、上述したように光照射と同時に電圧を印加して重合させる工程を行う必要があった。
【０００８】
そこで本発明は、電圧印加によらずに光の照射方向に対して良好に配向した状態で配向膜表面に重合される光重合性モノマーを用いることにより、光スイッチングの応答速度の向上と安定化を図ることが可能な液晶表示装置の製造方法および液晶表示装置を提供することを目的とする。
【課題を解決するための手段】
【０００９】
このような目的を達成するための本発明の液晶表示装置の製造方法は、先ず、電極上を配向膜で覆ってなる一対の基板における当該配向膜間に、光重合性モノマーを含有させた液晶層を充填封止する工程を行う。次いで、基板面の法線に対して斜め方向から光を照射することにより、光の照射方向に対して配向させた光重合性モノマーを配向膜表面に対して重合させる工程を行う。このような手順において、光重合性モノマーとして二色性を示す化合物を用いることを特徴としている。このような光重合性モノマーは、アゾベンゼン誘導体、ペリレン誘導体、およびキノフタロン誘導体から選ばれる。
【００１０】
また本発明の液晶表示装置はこのような製造方法によって得られる液晶表示装置であり、基板面の法線に対して斜め方向に配向した状態の光重合性モノマーが、配向膜における液晶層側の表面に重合されており、この光重合性モノマーが二色性を有する化合物からなることを特徴としている。
【００１１】
以上のような構成では、配向膜に対して重合させる光重合性モノマーとして二色性を有する化合物を用いたことにより、光の照射方向に対して光重合性モノマーを良好に配向させることができ、良好に配向させた状態の光重合性モノマーを配向膜に重合させることができる。
【発明の効果】
【００１２】
この結果、電圧印加によらずに光の照射方向に対して良好に配向した状態で配向膜表面に光重合性モノマーを重合させることができるため、液晶分子のプレチルト角を安定した所定角度とすることが可能になり、電極への電圧印加による液晶分子の所望の方向へのスイッチングの応答速度の向上とスイッチング後の配向安定化を図ることが可能になる。
【発明を実施するための最良の形態】
【００１３】
以下、本発明の実施の形態を図面に基づいて詳細に説明する。
【００１４】
＜光重合性モノマー＞
本発明において用いる二色性を有する光重合性モノマーの好適な例としては、紫外線照射に対して良好な配向性を示すように、長軸方向に光吸収する官能基を備えたアゾベンゼン誘導体が示される。またこの他にも比較的短波長側に吸収を持つペリレン誘導体およびキノフタロン誘導体が例示される。これらの化合物は、光照射によって配向膜に対して重合するように、末端に光重合性基を備えていることが必須である。
【００１５】
例えばアゾベンゼン誘導体であれば、下記式（１）および式（２）の化合物が例示される。
【００１６】
【化１】
2009048062.tif 000003
【００１７】
式（１），（２）中におけるＲ1，Ｒ2は、光重合性を示す基であり、それぞれ独立して、ヒドロキシル基、（メタ）アクリロイル基、（メタ）アクリロイルオキシ基、（メタ）アクリルアミド基、ビニル基、ビニルオキシ基、またはマレイミド基を示す。
【００１８】
式（１）、（２）中におけるＲ3，Ｒ4は、それぞれ独立に、ハロゲン原子、カルボキシル基、ハロゲン化メチル基、ハロゲン化メトキシ基、シアノ基、ニトロ基、メトキシ基、またはメトキシカルボニル基を示す。尚、カルボキシル基はアルカリ金属と塩を形成していてもよい。
【００１９】
式（１）、（２）中におけるＸ1，Ｘ2は、それぞれ独立に、−Ｏ−、−ＣＯ−Ｏ−、−ＯＣＯ−、−ＣＯＮＨ−、−ＮＨＣＯ−、−ＮＨＣＯ−Ｏ−、−ＯＣＯＮＨ−、−（ＣＨ２）ｍ−Ｏ−、−（ＣＨ２）ｍ−ＣＯ−Ｏ−、−（ＣＨ２）ｍ−ＯＣＯ−、−（ＣＨ２）ｍ−ＣＯＮＨ−、−（ＣＨ２）ｍ−ＮＨＣＯ−、−（ＣＨ２）ｍ−ＮＨＣＯ−Ｏ−、または−（ＣＨ２）ｍ−ＯＣＯＮＨ−を示す。尚、ｍは０〜６の整数を示す。
【００２０】
構造式（１）中におけるＡは、下記式（３）〜（５）の連結基を示す。
【００２１】
【化２】
2009048062.tif 000004
【００２２】
そして、上記式（３）〜（５）中におけるＲ5，Ｒ6は、それぞれ独立に、カルボキシル基、スルホ基、ニトロ基、アミノ基、またはヒドロキシ基を示す。尚、カルボキシル基またはスルホ基は、アルカリ金属と塩を形成していても良い。
【００２３】
また二色性を有する光重合性モノマーとして用いられるペリレン誘導体としては、下記式（６）の材料が例示される。
【００２４】
【化３】
2009048062.tif 000005
【００２５】
式（６）中におけるＲ7，Ｒ8は、光重合性を示す基であり、アクリロイル基、メタクリロイル基である。
【００２６】
さらに二色性を有する光重合性モノマーとして用いられるキノフタロン誘導体としては、下記式（７）の材料が例示される。
【００２７】
【化４】
2009048062.tif 000006
【００２８】
式（７）中におけるＲ9は、光重合性を示す基であり、アクリロイル基、メタクリロイル基である。
【００２９】
＜液晶表示装置の製造方法＞
次に、上述した光重合性モノマーを用いた液晶表示装置の製造方法の一例を図１の断面工程図に基づいて詳細に説明する。
【００３０】
先ず、図１（１）に示すように、駆動基板１０と対向基板２０との間に液晶層３０を狭持してなる液晶パネル１を組み立てる。
【００３１】
ここでは、先ず、ガラス基板のような透明基板の一主面上に、ここでの図示を省略した走査線（例えば１５μｍ幅）、信号線（例えば１２μｍ幅）、さらにはこれらの各交差部に薄膜トランジスタや保持容量（例えば２０μｍ幅）からなる画素回路を形成して画素アレイを構成し、これを層間絶縁膜で覆ってなる駆動基板１０を作製する。次に、この駆動基板１０の層間絶縁膜上に、画素電極１１を配列形成する。これらの画素電極１１は、ＩＴＯのような透明導電性材料を用いて形成し、層間絶縁膜に設けた接続孔を介して各画素回路に接続させる。その後、画素電極１１を覆う状態で、垂直配向膜１３を形成する。
【００３２】
一方、ガラス基板のような透明基板の一主面上に、ここでの図示を省略したカラーフィルタやブラックマトリックス、さらにはスペーサ突起物（例えば高さ４μｍ）を必要に応じて形成してなる対向基板２０を作製する。次に、この対向基板２０のカラーフィルタ層上に、各画素に共通のベタ膜状の共通電極２１を形成する。この共通電極２１はＩＴＯのような透明導電性材料で構成する。その後、共通電極２１を覆う状態で、垂直配向膜２３を形成する。
【００３３】
ここで、駆動基板１０側の垂直配向膜１３および対向基板２０側の垂直配向膜２３は、通常の垂直配向膜１３，２３で有って良く、例えばポリイミドを塗布することによって形成される。
【００３４】
その後、基板１０，２０の一方（例えば駆動基板１０）の垂直配向膜１３形成面側に、シール剤で土手状の囲みを形成し、液晶分子ｍとともに光重合性モノマーＭを含有させた液晶組成物を滴下する。この際、液晶分子ｍとしては、例えば負の誘電異方性を有する分子を用いる。また、光重合性モノマーＭとしては、上述した化合物の中から選択した化合物を用い、液晶層３０中における光重合性モノマーＭの濃度を０．３ｗｔ％程度とする。
【００３５】
次に、液晶組成物を挟んで垂直配向膜１３，２３を向かい合わせて駆動基板１０と対向基板２０とを対向配置し、これらの基板１０−２０を貼り合わせる。次いでシール剤を硬化させることにより、基板１０−２０間の周縁部をシール剤で封止し、シール剤で囲まれた基板１０−２０間に液晶分子ｍとともに光重合性モノマーＭを含有させた液晶層３０を充填封止してなる液晶パネル１を組み立てる。
【００３６】
次に、図１（２）に示すように、対向基板２０の外面側に遮光マスク４１を配置する。この遮光マスク４１は、例えば各画素電極１１を４分割したうちの１つの部分に臨む開口４１ａを備えていることとする。
【００３７】
その後、この遮光マスク４１を介して液晶パネル１に対する第１回目の紫外線ｈの照射を行う。この際、対向基板２０の基板面の法線に対して斜め方向から紫外線ｈを照射する。例えばここでは、対向基板２０の基板面を正面から見た場合の３時の方位角方向において、法線に対して３０°の極角方向から紫外線ｈを照射する。
【００３８】
この紫外線ｈは、紫外線ｈの照射方向に対して光重合性モノマーの長軸方向が平行になるように、ここで用いている光重合性モノマーＭに対して敵する偏向光であることが重要である。例えば光重合性モノマーＭとして、上述した式（１）のアゾベンゼン誘導体が用いられている場合、紫外線ｈとして無偏光紫外線を照射する。これにより、アゾベンゼン誘導体の長軸方向が紫外線ｈの照射方向に対して平行に配向する。
【００３９】
また、紫外線ｈは、コリメータレンズを通すことにより平行光として照射することが好ましい。さらに、紫外線ｈの照射エネルギーは、一例として３Ｊ／ｃｍ2程度であることとする。そして以上のような紫外線ｈの照射は、画素電極１１および共通電極２１に対して電圧無印加の状態で行っても良く、電圧を印加した状態で行っても良い。
【００４０】
このような紫外線ｈの照射により、紫外線ｈが照射された液晶層３０部分において、二色性の光重合性モノマーＭを、紫外線ｈの照射方向に長軸を沿わせて配向させると共に、配向させた光重合性モノマーＭを垂直配向膜１３，２３の表面に対して重合させる。
【００４１】
次に、図１（３）に示すように、対向基板２０の外面側に遮光マスク４２を配置する。この遮光マスク４２は、例えば各画素電極１１を４分割したうち、先に遮光マスク（４１）とは異なる１つの部分に臨む開口４２ａを備えていることとする。
【００４２】
その後、この遮光マスク４２を介して液晶パネル１に対する第２回目の紫外線ｈの照射を行う。この際、対向基板２０の基板面の法線に対して、第１回目とは異なる斜め方向から紫外線ｈを照射する。例えばここでは、対向基板２０の基板面を正面から見た場合の９時の方位角方向において、法線に対して３０°の極角方向から紫外線ｈを照射する。照射する紫外線ｈは、第１回目と同様であることとする。
【００４３】
これにより、紫外線ｈが照射された液晶層３０部分において、二色性の光重合性モノマーＭを、紫外線ｈの照射方向に長軸を沿わせて配向させると共に、配向させた光重合性モノマーＭを垂直配向膜１３，２３の表面に対して重合させる。
【００４４】
以降同様に、画素電極１１を４分割したうち、先に遮光マスクとは異なる１つの部分に臨む開口を備えた遮光マスクを用い、先の紫外線ｈの照射とは異なる方位角方向（例えば０時方向および６時方向）からの第３回目および第４回目の紫外線の照射を順次行う。ただし、法線に対しての極角は一致させておくことする。
【００４５】
ここで、第１回目〜第３回目の紫外線ｈの照射を行った状態では、画素電極１１を４分割したうちの３つの分割部分の垂直配向膜１３,２３に対して、それぞれ９０°をなす方位角方向に傾斜して配向した状態で光重合性モノマーＭが重合している。このため、最後となる第４回目の紫外線ｈの照射は、遮光マスクを用いずに行っても良い。
【００４６】
また、垂直配向膜１３，２３に対して重合せずに液晶層３０内に残留する光重合性モノマーＭを低減させてパネル信頼性を確保するために、以上のような各方位角方向からの紫外線ｈの照射が全て終了した後には、液晶パネル１の全面に対して再度、紫外線ｈを照射しても良い。
【００４７】
以上の後には、ここでの図示は省略したが、液晶パネル１の外面側に必要に応じて位相差層を設け、さらに液晶分子ｍの配向方向に合わせて２枚の偏向板を光重合性モノマーＭの配向方向に一致させてクロスニコルに配置して液晶表示装置４５を完成させる。
【００４８】
尚、上述したような画素電極１１の各分割部分への紫外線ｈの照射は、遮光マスクを用いた複数回の照射を行うことに限定されることはない。例えば、図２に示すように、複数の傾斜面を備えたプリズム５を介して紫外線ｈを照射することにより、１回の紫外線ｈの照射によって、各画素電極１１の各分割部分に対してそれぞれの方位角方向に所定の角度だけ傾斜させた紫外線ｈを照射しても良い。
【００４９】
＜液晶表示装置＞
以上のようにして得られた液晶表示装置４５では、各画素電極１１における各分割部分の垂直配向膜１３,２３に対して、それぞれ９０°を成す４つの方位角方向に所定の角度（３０°）で配向した状態で光重合性モノマーＭが重合している。これにより、各画素電極１１の分割部分においては、液晶分子ｍが光重合性モノマーＭの配向方向に沿った異なる４つの方位角方向に所定のプレチルト角を保って傾斜した状態で配向する。
【００５０】
このような構成の液晶表示装置４５は次のように駆動される。
【００５１】
すなわち、画素電極１１−共通電極２１間に電圧を印加していない状態では、液晶層３０を構成する液晶分子ｍは、垂直配向膜１３，２３およびこれに重合された光重合性モノマーＭの配向方向に長軸を沿わせて配向する。ここでは、光重合性モノマーＭは、画素電極１１の各分割部分毎に異なる方位角方向に所定角度で傾斜して配向している。このため、液晶分子ｍは、各分割部分毎に異なる方位角方向に傾斜し、プレチルト角８７°程度で配向する。これにより、駆動基板１０の偏光板から入射した光は、液晶層において位相差を生じることなく対向基板２０の偏光板に達し、ここで吸収されて黒表示となる。
【００５２】
一方、画素電極１１−共通電極２１間に電圧を印加した状態では、液晶層３０に印加される縦方向の電界により、液晶分子ｍが基板１０,２０に対して平行となるように倒れて配向する。この際、液晶分子ｍは、電圧無印加時において液晶分子ｍが傾斜している各方位角方向に倒れる。これにより、液晶層３０の各部分が、λ／２の位相差を生じるようになり、駆動基板１０の偏光板から入射した光が液晶層３０を透過することによって９０°回転した直線偏光としてとなって対向基板２０側の偏向板に達し、これを通過して白表示となる。この際、液晶分子ｍが互いに９０°を成す４方向に倒れるため、良好な視野角特性が得られる。
【００５３】
以上説明した実施形態によれば、垂直配向膜１３，２３に対して重合させる光重合性モノマーＭとして二色性を有する化合物を用いたことにより、電圧印加を行うことなく紫外線ｈの照射方向に対して良好に配向させた光重合性モノマーＭを垂直配向膜１３，２３に重合させることができる。このため、液晶分子ｍのプレチルト角を安定した所定角度とすることが可能になり、画素電極１１−共通電極２１間に電圧印加した際に、液晶分子ｍを素早く各方位角方向に配向させることが可能になる。この結果、電極１１，２１への電圧印加による液晶分子ｍの所望の方向へのスイッチングの応答速度の向上とスイッチング後の配向安定化を図ることが可能になる。
【００５４】
ここで、光重合性モノマーとして上記実施形態で示した二色性の化合物の１つである式（１）のアゾベンゼン誘導体を用いて作製した液晶表示装置では、液晶分子ｍのプレチルト角が８７°であり、電圧印加時におけるスイッチングの応答時間が８ｍ秒であった。尚、式（１）中において、Ｒ1，Ｒ2は、アクリロイル基、Ｘ1，Ｘ2は−Ｏ−、Ａは式（４）であり、Ｒ5，Ｒ6は−ＣＯ２Ｎａの化合物を用いた。
【００５５】
これに対して、下記式（８）の汎用の光重合性モノマーを用いて作製した液晶表示装置では、液晶分子ｍのプレチルト角が８９．５°であり、電圧印加時におけるスイッチングの応答時間が１１ｍ秒であった。
【００５６】
【化５】
2009048062.tif 000007
【００５７】
これにより本発明を適用することで液晶表示装置のスイッチングの応答速度が向上することが確認された。
【００５８】
尚、以上説明した液晶表示装置の構成はあくまでも一例であり、液晶分子ｍの誘電異方性や配向膜の方向性、さらには紫外線の照射方向や照射方向の分割数については、液晶表示装置のモードによって最適に選択されることとする。
【００５９】
＜液晶表示装置の回路構成＞
次に、上述した実施形態の液晶表示装置の回路構成の一例を説明する。尚、実施形態において共通する構成要素には同一の符号を付して説明を行う。
【００６０】
図３に示す液晶表示装置はアクティブマトリックス駆動の液晶表示装置であり、表示領域１ａとその周辺領域１ｂとが設定されている。表示領域１ａには、複数の走査線２と複数の信号線３とが縦横に配線されており、それぞれの交差部に対応して１つの画素が設けられた画素アレイ部として構成されている。また、表示領域１ａには、走査線２（または信号線）と平行に共通配線４が配線されている。一方、周辺領域１ｂには、走査線２を走査駆動する走査線駆動回路２ｂと、輝度情報に応じた映像信号（すなわち入力信号）を信号線３に供給する信号線駆動回路３ｂとが配置されている。
【００６１】
各画素には、例えばスイッチング素子としての薄膜トランジスタＴｒおよび保持容量Ｃｓからなる画素回路が設けられ、さらにこの画素回路に接続された画素電極１１が設けられている。
【００６２】
薄膜トランジスタＴｒは、ゲートが走査線２に接続され、ソース／ドレインの一方が信号線３に接続され、ソース／ドレインの他方が保持容量Ｃｓと画素電極１１とに接続されている。また容量素子Ｃｓのもう一方の電極が、共通配線４に接続されている。尚、ここでの図示は省略しているが、先に図１を用いて説明したように、共通配線４に接続された共通電極が、各画素に設けられた画素電極１１に対向して配置され、これらの画素電極１１と共通電極との間に液晶層が挟持された構成となっている。
【００６３】
そして、薄膜トランジスタＴｒを介して信号線３から書き込まれた映像信号が保持容量Ｃｓに保持され、保持された信号量に応じた電圧が画素電極１１に供給される構成となっている。
【００６４】
以上のような画素回路の構成は、あくまでも一例であり、必要に応じて画素回路内に容量素子を設けたり、さらに複数のトランジスタを設けて画素回路を構成しても良い。また、周辺領域１ｂには、画素回路の変更に応じて必要な駆動回路を追加しても良い。
【００６５】
＜適用例＞
以上説明した本発明に係る液晶表示装置は、図４〜図８に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００６６】
図４は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。
【００６７】
図５は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００６８】
図６は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００６９】
図７は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００７０】
図８は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【図面の簡単な説明】
【００７１】
【図１】実施形態を説明するための断面工程図である。
【図２】実施形態の変形例を説明するための断面図である。
【図３】本発明が適用される液晶表示装置の回路構成を示す図である。
【図４】本発明が適用されるテレビを示す斜視図である。
【図５】本発明が適用されるデジタルカメラを示す図であり、（Ａ）は表側から見た斜視図、（Ｂ）は裏側から見た斜視図である。
【図６】本発明が適用されるノート型パーソナルコンピュータを示す斜視図である。
【図７】本発明が適用されるビデオカメラを示す斜視図である。
【図８】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【００７２】
１０…駆動基板、１１…画素電極、１３，２３…垂直配向膜、２０…対向基板、２１…共通電極、３０…液晶層、４５…液晶表示装置、ｈ…紫外線（光）、Ｍ…光重合性モノマー
【図１】
2009048062.tif 000008
【図２】
2009048062.tif 000009
【図３】
2009048062.tif 000010
【図４】
2009048062.tif 000011
【図５】
2009048062.tif 000012
【図６】
2009048062.tif 000013
【図７】
2009048062.tif 000014
【図８】
2009048062.tif 000015